(57)【要約】      （修正有）【課題】無線ネットワークエリアの制御方法とシステムを提供する。【解決手段】複数のＮＦＣ（近距離無線通信）Ｈｏｔｓｐｏｔセンサーにより任意の形状の限定エリアを隙間なく配置するステップＡＳ１、前記ＮＦＣＨｏｔｓｐｏｔセンサーに接続された中央制御ユニットによって、周期的にエリアキーを生成して送信するステップＡＳ２、及び、前記限定エリアに位置するＮＦＣ機能を有する無線通信端末が、前記エリアキーを受信しＵＳ３、前記受信したエリアキーに基づいて前記中央制御ユニットとハンドシェイクすることで、前記限定エリアにおいて無線ネットワーク通信を形成するステップＵＳ４を含む。【選択図】図６
2014155224.tif 000002
【特許請求の範囲】
【請求項１】
複数のＮＦＣＨｏｔｓｐｏｔセンサーにより任意の形状の限定エリアを隙間なく配置するステップ；
前記ＮＦＣＨｏｔｓｐｏｔセンサーに接続された中央制御ユニットによって、周期的にエリアキーを生成して送信するステップ；及び
前記限定エリアに位置するＮＦＣ機能を有する無線通信端末が、前記エリアキーを受信し、前記受信したエリアキーに基づいて前記中央制御ユニットとハンドシェイクすることで、前記限定エリアにおいて無線ネットワーク通信を形成するステップを含む、無線ネットワークエリアの制御方法。
【請求項２】
前記限定エリアに位置するＮＦＣ機能を有する前記無線通信端末が、前記受信したエリアキーに基づいて前記中央制御ユニットとハンドシェイクするステップは、
前記中央制御ユニットが、前記限定エリアに位置するＮＦＣ機能を有する無線通信端末を検出し、前記ＮＦＣＨｏｔｓｐｏｔセンサー識別情報を前記無線通信端末に送信するステップ；
前記無線通信端末が、前記受信したＮＦＣＨｏｔｓｐｏｔセンサー識別情報から最適なＮＦＣＨｏｔｓｐｏｔセンサーを選択し、選択したＮＦＣＨｏｔｓｐｏｔセンサーに接続要求を送信するステップ；及び
前記中央制御ユニットが、前記接続要求を受信し、前記無線通信端末にエリアキーを送信し、前記無線通信端末から端末情報を受信することで、前記無線通信端末とのハンドシェイクを実現するステップを含む、請求項１に記載する無線ネットワークエリアの制御方法。
【請求項３】
前記中央制御ユニットが繰り返してハンドシェイク状態にある前記無線通信端末へ周期的に変化するエリアキーを送信するステップをさらに含む、請求項２に記載する無線ネットワークエリアの制御方法。
【請求項４】
前記中央制御ユニットと、少なくとも一つの他の中央制御ユニットとを接続して前記限定エリアを拡大するさらにステップを含む、請求項３に記載する無線ネットワークエリアの制御方法。
【請求項５】
任意の形状の限定エリアを隙間なく配置する複数のＮＦＣＨｏｔｓｐｏｔセンサー；
前記ＮＦＣＨｏｔｓｐｏｔセンサーに接続され、周期的にエリアキーを生成して送信する中央制御ユニット；及び
前記限定エリアにおいて、前記エリアキーを受信して前記中央制御ユニットとハンドシェイクすることで、前記限定エリアにある前記中央制御ユニットによってエリア限定のネットワーク通信を形成するためのＮＦＣ機能を有する無線通信端末を含む、無線ネットワークエリアの制御システム。
【請求項６】
前記中央制御ユニットが、前記限定エリアに位置するＮＦＣ機能を有する前記無線通信端末を検出し；
前記ＮＦＣＨｏｔｓｐｏｔセンサーが、前記ＮＦＣＨｏｔｓｐｏｔセンサー識別情報を前記無線通信端末に送信し；
前記無線通信端末が、前記受信したＮＦＣＨｏｔｓｐｏｔセンサー識別情報から最適なＮＦＣＨｏｔｓｐｏｔセンサーを選択し、選択したＮＦＣＨｏｔｓｐｏｔセンサーに接続要求を送信し；及び
前記中央制御ユニットが、前記接続要求を受信し、前記無線通信端末にエリアキーを送信し、前記無線通信端末から端末情報を受信することで、前記モバイル端末とのハンドシェイクを実現する、請求項５に記載する無線ネットワークエリアの制御システム。
【請求項７】
少なくとも一つの他の中央制御ユニット及びそれに接続する複数のＮＦＣＨｏｔｓｐｏｔセンサーをさらに含み、前記少なくとも一つの他の中央制御ユニットが前記中央制御ユニットに接続することで、前記限定エリアが拡大する、請求項６に記載する無線ネットワークエリアの制御システム。
【請求項８】
前記中央制御ユニットが、すべてのＮＦＣＨｏｔｓｐｏｔセンサーに接続することによって、対応するＨｏｔｓｐｏｔセンサーの座標とＩＤを作成する、請求項７に記載する無線ネットワークエリアの制御システム。
【請求項９】
前記エリアキーが、キー情報、エリア情報及びユーザー情報を総合することによって生成される、請求項８に記載する無線ネットワークエリアの制御システム。
【請求項１０】
ＷＬＡＮのノード情報を管理し、且つ無線通信端末と双方向通信を行う、請求項８に記載する無線ネットワークエリアの制御システム。
【発明の詳細な説明】
【技術分野】
【０００１】
本発明はＮＦＣ技術に基づいた無線ネットワークエリアの限定制御方法及びシステムに関するものである。
【背景技術】
【０００２】
携帯コミュニケーションツールは既に人々の日常の需要になってきた。この携帯コミュニケーションツールには、例えば携帯電話、タブレットＰＣ、ノートパソコン、パーソナルディジタルアシスタント（ＰＤＡ）などを含む。人々は無線通信装置によって各種の情報を獲得し、且つ相互にデータ通信を行う。しかしながら、無線デジタルデバイスは人々の通信に便利をもたらすと同時に、安全上の問題も存在する。例えばコーヒーショップのような公共場所では、ビジネスマンが情報を迅速に交換しようとする場合、情報共有の安全性は非常に重要になり、いかに安全な無線ネットワークエリアを限定するのは必要になる。
【０００３】
そのため、人々は無線接続の安全性を向上させるために、無線ネットワークプロトコルによるネットワーク接続のパスワードの要求及びＭＡＣアドレスフィルタリングによって接続の安全性を確保する。しかしながら、これらの安全性はハッカーに攻撃される可能性が依然として存在する。ハッカーは十分な時間と計算能力によっていかなる商用レベルのパスワードの大半を解読できる。しかも、許可されたユーザーと無線ネットワークとの間にパスワードを伝送する時、パスワードは盗まれる可能性がある。ＭＡＣアドレスフィルタリングも、ソフトウェアを用いてユーザーの定義したＭＡＣアドレスをカモフラージュすることで、破壊される可能性がある。
【０００４】
そのため、無線ネットワークを保護する最適な方法としては、無線ネットワーク信号が利用される境界から漏らすことを防止することである。したがって、ハッカーは無線ネットワークが作成される場所とする居室、オフィス、倉庫または他の建物にいなければならない。そうすると、無線ネットワークの保護が、そのカバレッジにおける建物の物理的セキュリティの保護になる。ソニーエリクソン会社の出願した特許出願「ＣＮ１０２１４４４２１Ａ」は、「近距離無線通信（ＮＦＣ）によってＷＬＡＮ接続を促進する」という方法を提案した。その目的はデバイス間のＮＦＣによってデバイスがＷＬＡＮに接続する煩雑なユーザー対話の過程を簡略化することである。そのうち、ＮＦＣデバイスはモバイル通信デバイスの制御器に接続され、制御器へＮＦＣデバイスの受信したデータを入力して処理する。ユーザーはモバイル通信デバイスをＷＬＡＮデバイスにより指定された領域にあるＮＦＣタグに近い箇所に設置し、近接通信を作成することができる。近接通信によってモバイル通信デバイスにあるＮＦＣ読み取り装置へ利用可能なＷＬＡＮネットワークに関連する情報を送信できる。そのため、モバイル通信デバイスは連続的にＷＬＡＮを検索する必要がなくなる。制御器はデバイスがＷＬＡＮサービスプロバイダの加入者であるかどうかを確認し、しかも確認の結果に基づいてモバイル通信デバイスとのデータ交換を行うかどうかを判断する。明らかに、当該特許出願におけるＮＦＣはデータ収集作用のみを果たし、物理的なセキュリティエリアを作らず、且つ、ＷＬＡＮとのデータ交換もモバイルデバイスの事前に設定した無線ネットワーク情報によって実施される必要がある。
【０００５】
ハネウェル社の中国特許出願「ＣＮ１０１４８３８７２Ａ」は、物理的アクセス制御システムで無線ネットワークの境界を限定する方法を開示した。それは物理的アクセス制御システム（ＰＡＣＳ）を用いて無線カバレッジエリア内で境界を限定して、且つ無線ネットワークに対するアクセスを境界内のエリアにあるデバイスに制限する設備である。このシステムには、アクセス授権者が境界に限定された安全エリアに入ることを制御するＰＡＣＳ、及び無線ネットワークを生成する無線ネットワーク生成システムを含む。アクセス授権者が安全なエリアに位置することを確認できた場合は、無線ネットワークのアクセスがアクセス授権者の関連するデバイスに制限される。授権者が安全なエリア外に位置することを確認できた場合は、授権者の関連するデバイスが無線ネットワークにアクセスすることを拒否する。しかしながら、この特許出願はカード読み取りの方式によってモバイルデバイスのＩＤを制御システムに登録し、且つこのモバイルデバイスが安全なエリアに位置することを認める。明らかに、この特許出願はまったくＮＦＣの内容に関せず、事前に設定されたいかなる物理的な安全エリアもなくて、一定のエリアに入るＩＤ登録によって一定の仮想安全なエリアを作成する。
【０００６】
これに基づいて、情報交換の安全性を確保するために、近距離無線通信（ＮＦＣ：Near  Field  Communication）と呼ばれるものを採用する。ＮＦＣは距離の短いデバイス間でデータ交換を行う短距離高周波数無線通信技術である。通信に関与する人を一定の範囲に限定することによって、通信とデータ交換の安全性を確保する。現在、またＬＥＤランプ、赤外線ランプを用いて室内エリアを限定する方法もある。しかしながら、それは光信号が安定せず、且つ環境の干渉に敏感である。限定されたエリアの境界は明確でない。且つ限定されたエリアの形状は調整し難い。
【発明の概要】
【発明が解決しようとする課題】
【０００７】
そのため、本分野は物理空間に類似した安全なエリアが必要となり、所定の物理空間に入るモバイルデバイス間で自由、安全にデータ交換を行わせ、本発明の明細書で「見るものは安全である」と略称された無線ネットワークエリアを形成する。
【課題を解決するための手段】
【０００８】
本発明の一側面によれば、無線ネットワークエリアの制御方法が提供され、該無線ネットワークエリアの制御方法は、  複数のＮＦＣＨｏｔｓｐｏｔセンサーにより任意の形状の限定エリアを隙間なく配置するステップ；前記ＮＦＣＨｏｔｓｐｏｔセンサーに接続された中央制御ユニットによって、周期的にエリアキーを生成して送信するステップ；及び、前記限定エリアに位置するＮＦＣ機能を有する無線通信端末が、前記エリアキーを受信し、前記受信したエリアキーに基づいて前記中央制御ユニットとハンドシェイクすることで、前記限定エリアにおいて無線ネットワーク通信を形成するステップを含む。
【０００９】
また、前記限定エリアに位置するＮＦＣ機能を有する前記無線通信端末が、前記受信したエリアキーに基づいて前記中央制御ユニットとハンドシェイクするステップは、前記中央制御ユニットが、前記限定エリアに位置するＮＦＣ機能を有する無線通信端末を検出し、前記ＮＦＣＨｏｔｓｐｏｔセンサー識別情報を前記無線通信端末に送信するステップ；  前記無線通信端末が、前記受信したＮＦＣＨｏｔｓｐｏｔセンサー識別情報から最適なＮＦＣＨｏｔｓｐｏｔセンサーを選択し、選択したＮＦＣＨｏｔｓｐｏｔセンサーに接続要求を送信するステップ；及び、前記中央制御ユニットが、前記接続要求を受信し、前記無線通信端末にエリアキーを送信し、前記無線通信端末から端末情報を受信することで、前記無線通信端末とのハンドシェイクを実現するステップを含む。
【００１０】
また、前記無線ネットワークエリアの制御方法は、前記中央制御ユニットが繰り返してハンドシェイク状態にある前記無線通信端末へ周期的に変化するエリアキーを送信するステップをさらに含む。
【００１１】
また、無線ネットワークエリアの制御方法は、前記中央制御ユニットと、少なくとも一つの他の中央制御ユニットとを接続して前記限定エリアを拡大するステップをさらに含む。
【００１２】
本発明の他の側面によれば、無線ネットワークエリアの制御システムが提供され、該無線ネットワークエリアの制御システムは、任意の形状の限定エリアを隙間なく配置する複数のＮＦＣＨｏｔｓｐｏｔセンサー；前記ＮＦＣＨｏｔｓｐｏｔセンサーに接続され、周期的にエリアキーを生成して送信する中央制御ユニット；及び、前記限定エリアにおいて、前記エリアキーを受信して前記中央制御ユニットとハンドシェイクすることで、前記限定エリアにある前記中央制御ユニットによってエリア限定のネットワーク通信を形成するためのＮＦＣ機能を有する無線通信端末を含む。
【００１３】
また、無線ネットワークエリアの制御システムは、前記中央制御ユニットが、前記限定エリアに位置するＮＦＣ機能を有する前記無線通信端末を検出し；前記ＮＦＣＨｏｔｓｐｏｔセンサーが、前記ＮＦＣＨｏｔｓｐｏｔセンサー識別情報を前記無線通信端末に送信し；前記無線通信端末が、前記受信したＮＦＣＨｏｔｓｐｏｔセンサー識別情報から最適なＮＦＣＨｏｔｓｐｏｔセンサーを選択し、選択したＮＦＣＨｏｔｓｐｏｔセンサーに接続要求を送信し；及び、前記中央制御ユニットが、前記接続要求を受信し、前記無線通信端末にエリアキーを送信し、前記無線通信端末から端末情報を受信することで、前記モバイル端末とのハンドシェイクを実現する。
【００１４】
また、無線ネットワークエリアの制御システムは、少なくとも一つの他の中央制御ユニット及びそれに接続する複数のＮＦＣＨｏｔｓｐｏｔセンサーをさらに含み、前記少なくとも一つの他の中央制御ユニットが前記中央制御ユニットに接続することで、前記限定エリアが拡大する。
【００１５】
また、前記無線ネットワークエリアの制御システムは、前記中央制御ユニットが、すべてのＮＦＣＨｏｔｓｐｏｔセンサーに接続することによって、対応するＨｏｔｓｐｏｔセンサーの座標とＩＤを作成する。
【００１６】
また、前記無線ネットワークエリアの制御システムは、前記エリアキーが、キー情報、エリア情報及びユーザー情報を総合することによって生成される。
【００１７】
また、無線ネットワークエリアの制御システムは、ＷＬＡＮのノード情報を管理し、且つ無線通信端末と双方向通信を行う。
【００１８】
本発明はＮＦＣ技術を用いてエリア限定の問題を解決した。近距離無線通信技術は短距離無線通信技術であり、特に距離は５ｃｍ未満であることを要求する。エリア限定方法では、以下の利点を有する。即ち、ＮＦＣＨｏｔｓｐｏｔセンサーが明確な境界と短距離送信という特徴を有する。複数のＨｏｔｓｐｏｔＮＦＣセンサーを使用することによって、限定エリアの境界を明確にし、形状が調整でき；ＮＦＣ技術には成熟した基準、確実な通信を有するため、外部環境要因に干渉されず；多くのモバイルデバイスはＮＦＣのサポートを有する；ＮＦＣ通信は双方向通信であり、若干の特定の情報がＮＦＣによって送信され、もっと安全である。双方向通信のもう１つの優位性としては、データが新しい通信リンク（例えばＮＦＣ）で伝送とノード情報の管理を行うことができる。応用においては、それは更に例えば室内位置決め方法などに多く応用されている。一部の情報がＮＦＣ通信リンクで伝送されるのはＷiＦi伝送より安全である。
【図面の簡単な説明】
【００１９】
本発明の上記と他の目標、特徴と技術及び工業上の重要性をより良く理解するために、以下、図面及び優選した実施例を参照しながら本発明を詳細に説明する。
【図１】本発明の無線ネットワークエリアの制御方法を採用するシステムの見取り図である。
【図２】図１に示されるシステムが本発明の無線ネットワークエリアの制御方法を採用した全体のフローチャートである。
【図３】エリア限定制御システムが限定エリアを作成することを示す図である。
【図４】リンクされた複数の限定エリアを含む拡大限定エリアを示す図である。
【図５】エリア限定制御システム１０１のＮＦＣＨｏｔｓｐｏｔセンサー３０１により作成される限定エリアにおいて作成された座標システムを示す図である。
【図６】２つの部分によってモバイル端末とエリア限定制御システムとの直接ハンドシェイクの過程を示すフローチャートである。
【図７】エリアキーの単方向伝送モデルを示す図である。
【図８】エリアキーの双方向伝送モデルを示す図である
【図９】エリア限定制御システムの中央制御ユニットを示すブロック図である。
【発明を実施するための形態】
【００２０】
以下、図面を参照しながら本発明の実施例を詳細に説明する。
【００２１】
図１は本発明の無線ネットワークエリアの限定制御方法を用いるシステムを示す図である。図１に示されるシステムにおいて、エリア限定制御システム１０１は限定エリアのデスクトップ制御システムとして表示され、且つ方形のデスクトップである。実際にこの限定エリアはいかなる形状でもよい。ユーザーの需要に応じて、円形または不規則の形状に設定できて、且つ任意の形状に拡大することができ、これは後の図３及び４を参照しながら説明する。エリア限定制御システム１０１はＮＦＣＨｏｔｓｐｏｔセンサーを需要に応じて所定の形状に基づいてユーザー定義の限定エリアの至るところに配置する。エリア限定制御システム（ＡＲＣＳ）により限定エリアを作成した後、エリア限定制御システム１０１の中央制御ユニットは上記限定エリアで周期（１０、１５、３０または６０秒間１回は可能である）的にエリアキー（Ａｒｅａ  Ｋｅｙ）を送信する。ＮＦＣセンサー付きモバイル端末が上記限定エリアに入る時、モバイル端末におけるＮＦＣセンサーはエリア限定制御システム１０１のＮＦＣＨｏｔｓｐｏｔセンサーに検出され、エリア限定制御システム１０１が上記限定エリアにあるモバイル端末１０２、１０３、１０４などとハンドシェイクし、且つＮＦＣ通信プロトコルによってモバイル端末に現在のエリアキーを送信する。現在のエリアキーによって認証されたモバイル端末はエリアの限定された無線ネットワークにアクセスすることができる。ノートパソコン１０３、スマートフォン１０２またはタブレットＰＣ１０４はＮＦＣセンサー付きモバイル端末である。
【００２２】
図２は図１に示されるシステムが本発明の無線ネットワークエリアの限定制御方法を採用した全体のフローチャートである。図２の示したように、このフローチャートには、エリア限定制御システムの操作過程とそれに対応するモバイル端末の操作過程といった２つの部分を含む。説明しやすくするために、２つの部分を分けて説明するのではなく、信号の流動順序によって説明する。
【００２３】
まず、ステップＡＳ１において、エリア限定制御システム１０１は限定された安全なエリアを作成する。図３は、エリア限定制御システムが作成した限定エリアの図面である。エリア限定制御システム１０１は中央制御ユニット３０２を含み、この中央制御ユニット３０２は１つまたは複数のＮＦＣＨｏｔｓｐｏｔセンサー３０１に接続し、各ＮＦＣＨｏｔｓｐｏｔセンサー３０１がエリア限定制御システム１０１の各ユニットとして作業する。ＮＦＣＨｏｔｓｐｏｔセンサーのアンテナのカバレッジ形状はその本体形状と同じであるため、所定の形状でＮＦＣＨｏｔｓｐｏｔセンサーを配列することによって、ユーザーに必要された形状のエリアを作成することができる。このため、複数のＮＦＣＨｏｔｓｐｏｔセンサーのカバレッジを隙間なく矩形、円形または各種の立体形状などに配列することによって、ユーザーに必要された限定エリアを作成することができる。そのため、限定エリアの形状と境界はＨｏｔｓｐｏｔの配列によって変更することができる。
【００２４】
且つ、本発明の限定エリアは複数の限定エリアをリンクすることによって限定エリアを拡大することができる。図４は複数の限定エリアをリンクして形成された拡大限定エリアを示す図である。図４に示される拡大限定エリアは拡大できるエリア限定制御システム１０１を構成することができる。具体的にいえば、各エリア限定制御システムにおける中央制御ユニット３０２をリンクし、それらの相互通信を実現して拡大できるエリア限定制御システム１０１を形成する。このような拡大方式によって、複数のエリア限定制御システムを異なる物理空間に分散し、相互にデータ通信を行わせる。
【００２５】
限定エリアを作成した後、エリア限定制御システム１０１における中央制御ユニット３０２は限定エリアに基づいて相応な座標システムを作成する。図５はエリア限定制御システム１０１におけるＮＦＣＨｏｔｓｐｏｔセンサー３０１により作成された限定エリアの作成座標システムを示す図である。図５の示したように、エリア限定制御システム１０１は相応な座標システム５０１を作成する。前記座標システムを作成した後、中央制御ユニット３０２は各ＮＦＣＨｏｔｓｐｏｔセンサーにそれぞれＩＤを配置する。
【００２６】
図２に戻り、限定エリアを作成した後、ステップＡＳ２において、エリア限定制御システム１０１の中央制御ユニット３０２は安全な情報伝送のために周期的にエリアキーを生成する。この周期はユーザーの必要に応じて、１０、２０、３０、４０秒に設定することができる。ここまで、エリア限定制御システム１０１は他のモバイル端末のアクセスために環境を整える。
【００２７】
上記エリア限定制御システムの作成が完了した後、ステップＵＳ１において、モバイル端末は検出された安全なエリア、すなわち作成した限定エリアに入る。且つほぼそれと同時に、ステップＵＳ２とＡＳ３を行う。ステップＵＳ２とＡＳ３において、エリア限定制御システム１０１のＮＦＣセンサーはモバイル端末に搭載されたＮＦＣセンサーと相互に相手の存在を検出して、自動的にエリア限定制御システム１０１とモバイル端末との間のハンドシェイクをトリガする。このようなハンドシェイクによって、モバイル端末はエリア限定制御システム１０１に接続要求を送信する。
【００２８】
図６は２つ部分でモバイル端末とエリア限定制御システムとの直接ハンドシェイクの過程を示すフローチャートである。図６の示したように、図２の示されたステップＡＳ１、ＡＳ２及びステップＵＳ１の後、ステップＵＳ２-１において、モバイル端末は限定エリアに入って且つ限定エリア制御システムのＮＦＣＨｏｔｓｐｏｔセンサーを検出し、且つハンドシェイク処理をトリガすると同時に、ステップＡＳ３-１において、エリア限定制御システム１０１は限定エリアにモバイル端末が存在するかどうかを検出する。エリア限定制御システム１０１が限定エリアにＮＦＣセンサーを含むモバイル端末が存在することを確認した後、すなわちステップＡＳ３-１において「はい」と判断してから、ステップＡＳ３-２に入る。このステップにおいて、エリア限定制御システム１０１はこのモバイル端末がアクセスしたモバイル端末であるかどうかを確認する。そうであれば、ステップＡＳ４に入り、すなわちこのモバイル端末に連続的にエリアキーまたは更新したエリアキーを送信して、ハンドシェイク処理を終了させ；そうでなければ、ステップＡＳ３-３に入り、このステップにおいて、エリア限定制御システム１０１はＮＦＣＨｏｔｓｐｏｔセンサーの情報を送信し、検出したモバイル端末の接続要求を待つ。同時に、ステップＵＳ２-２において、モバイル端末はエリア限定制御システム１０１の送信したＮＦＣＨｏｔｓｐｏｔセンサー情報を受信する。この情報は、制御器の使用状態、ＮＦＣ信号の強度、センサー使用状態などを含むが、それらに限らない。その後、ＵＳ２-３において、モバイル端末はすべてのＮＦＣＨｏｔｓｐｏｔセンサー情報を比較し、状態が最適なＮＦＣＨｏｔｓｐｏｔセンサーのＩＤに接続要求を送信し、且つステップＵＳ２-４において、選択したエリア限定制御システムのＮＦＣＨｏｔｓｐｏｔセンサーにアクセスする。最適なセンサーを決める方法は、Ｆｕｎ（Ｈｏｔｓｐｏｔセンサーの特徴情報）＝ＨｏｔｓｐｏｔセンサーＩＤである。それと同時に、ステップＡＳ３-４において、エリア限定制御システム１０lはモバイル端末の接続要求を受信した後、このモバイル端末がこの限定エリアにあるかまたはこのモバイル端末が限定エリアで他の位置に移動するかを判断し、そうであれば、接続要求を拒否して且つステップＡＳ３-１に戻り、ハンドシェイク過程を改めて行う。そうでなければ、このモバイル端末の位置は変化せず、接続要求を受信し、ステップＡＳ４に入る。
【００２９】
その後、図２と６を同時に参照しながら、ステップＡＳ４において、モバイル端末にエリアキーを送信して且つモバイル端末からのユーザー情報を受信してから、エリア限定制御システムが循環的に新たなエリアキー（ＡＳ２）の生成というステップに戻る。同時に、モバイル端末はステップＵＳ３においてもエリア限定制御システム１０１からのエリアキーを受信して、自体のユーザー情報も送信し、最終的にステップＵＳ４で限定エリアネットワークにアクセスし、ハンドシェイクを終了させる。モバイル端末が限定された安全なエリアから離れる時、モバイル端末は限定エリアに位置しないため、安全なエリアキーを受信できず、エリア限定のネットワークとの接続を切断する。
【００３０】
また、本発明のＮＦＣを用いてエリアの限定を行う方法は無線ネットワークに用いる場合は、そのエリアキーの伝送は双方向でも単方向でもよい。図７と８はそれぞれエリアキーの単方向と双方向伝送を示すモデル図である。図７の示したように、モバイル端末が限定エリアに入れば、エリアキーを受信し、限定エリアのネットワークにアクセスする。無線ネットワーク層において、限定エリアの情報はモバイル端末の情報（ノード情報）と共有し、無線ネットワーク情報と同じように、無線ネットワーク層で実施されるが、エリアキーの管理は限定エリア制御システムのＮＦＣ層で実行される。図８の示したように、エリア限定制御システム１０１は周期的にエリアキーを限定エリアに送信する。モバイル端末は限定エリアに移動する時、エリアキーを受信し、限定エリアのネットワークにアクセスする。それと同時に、モバイル端末はＮＦＣ通信リンクによって自らのユーザー情報とノード情報を限定エリア制御システムに送信する。無線ネットワーク層においては、無線ネットワーク情報のみが共有される。ノード情報の管理とエリアキーの管理はＮＦＣ層で行われる。ノード情報は無線ネットワークエリアの限定において非常に重要な安全情報であるため、ノード情報をＮＦＣ層で伝送するのは無線ネットワーク層で伝送と制御するのよりさらに安全である。
【００３１】
図９はエリア限定制御システムにおける中央制御ユニットを示すブロック図である。図８の示したように、エリア限定制御システム６０１には、エリア限定制御システムの他のユニットを制御するためのメイン制御ユニット６０２；エリア限定制御システムにおける中央制御ユニットの接続機能を制御するためのＨｏｔｓｐｏｔセンサー接続制御ユニット６０３；データ処理ユニット６０４；例えばエリアキー、ユーザー一覧、ユーザー情報、センサーＩＤリスト、センサー情報、限定エリア作成情報などのデータを記憶するための記憶ユニット６０５；及びモバイル端末とのやり取りを行うインタラクティブユニット６０６を含むが、それらに限らない。加えて、エリア限定制御システム６０１における中央制御ユニット６０７には、ＮＦＣＨｏｔｓｐｏｔセンサー６０８；ステップＡＳ２で生成したデータと記憶ユニット６０５に記憶された情報を記憶する記憶部６０９；ＮＦＣセンサーがステップＡＳ３とＡＳ４で行った情報とデータの伝送を実施するよう外部のデバイスにリンクする入出力インタフェース６１０；ＣＰＵ６１１；エリアキー情報の重要な構成要素であるランダムコードを生成するランダムコード生成ユニット６１２；及びエリア限定制御システムの中央制御ユニット６０７に給電する給電モジュール６１３を含むが、それらに限らない。
【００３２】
明細書で説明した一連の操作はハードウェア、ソフトウェア、またはハードウェアとソフトウェアとの組み合わせによって実施されることができる。ソフトウェアでこの一連の操作を実施する場合は、コンピュータプログラムを専用ハードウェアのコンピュータに内蔵される記憶装置に組み込み、コンピュータにこのコンピュータプログラムを実施させる。または、コンピュータプログラムを各種の処理を実施できる通用コンピュータに組み込み、コンピュータにこのコンピュータプログラムを実施させる。
【００３３】
例えば、事前にコンピュータプログラムを記録媒体とするハードディスクまたはＲＯＭ（読み取り専用メモリ）に記憶する。または、コンピュータプログラムを例えば、フロッピー(登録商標)ディスク、ＣＤ-ＲＯＭ（コンパクトディスク読み取り専用メモリ）、ＭＯ（光磁気）ディスク、ＤＶＤ（デジタル多用途ディスク）、ディスク、または半導体メモリなどのリムーバブル記録媒体に一時的にまたは永久的に記憶（記録）することができる。このようなリムーバブル記録媒体をパッケージソフトとして提供することができる。
【００３４】
本発明は具体的な実施例を参照しながら詳しく説明した。しかしながら、明らかに、本発明の精神から外れない限り、本分野の技術者は実施例を変更または取り替えを行うことができる。言い換えると、本発明は説明の方式で開示され、制限的に解釈されることではない。本発明の要旨を判断するのは、添付された請求項を考慮するべきである。
【図１】
2014155224.tif 000003
【図２】
2014155224.tif 000004
【図３】
2014155224.tif 000005
【図４】
2014155224.tif 000006
【図５】
2014155224.tif 000007
【図６】
2014155224.tif 000008
【図７】
2014155224.tif 000009
【図８】
2014155224.tif 000010
【図９】
2014155224.tif 000011